(57)【特許請求の範囲】
【請求項１】
制御部とディスプレイと音源とを有し、リズム譜に従って発音するリズムボックスのリズム表示方法において、
前記制御部は、基準点から一方向に延びる線を基準線とし、該基準線に対する角度により発音のタイミングを示すリズム譜を前記ディスプレイに表示することを特徴とするリズム表示方法。
【請求項２】
前記制御部は、円の１周を１拍、１小節又は連続する複数の小節に対応させ、円周上の位置により発音のタイミングを示すリズム譜を前記ディスプレイに表示することを特徴とする請求項１に記載のリズム表示方法。
【請求項３】
前記制御部は、前記基準線に対する角度により発音のタイミングを示すとともに、前記基準線からの距離により音量を示すリズム譜を前記ディスプレイに表示することを特徴とする請求項１に記載のリズム表示方法。
【発明の詳細な説明】
【０００１】
【発明の属する技術分野】
本発明は、微妙な発音のタイミングのずれを表記できるリズム表示方法に関し、特にリズムボックスによる自動演奏のリズム譜として好適なリズム表示方法に関する。
【０００２】
【従来の技術】
従来のリズム表示は、五線譜が主流であった。また、リズムボックスでは、図８に示すようなリズム譜（五線譜から音程を除いたもの）が使用されることもある。この種のリズム譜では１小節を複数の丸で示し、黒丸で示されるタイミングで発音するようになっている。
【０００３】
【発明が解決しようとする課題】
しかしながら、従来の五線譜やリズム譜によるリズム表示方法では以下に示す欠点がある。すなわち、実際の演奏では、演奏者による微妙な発音のタイミングのずれがあり、これがグルーブ感（リズムのゆれ）やスイング感となって、演奏者固有の表現となっている。従来の五線譜やリズム譜による表記では、発音の微妙なタイミングのずれを表現することは困難である。
【０００４】
また、殆どの音楽では、リズムパターンは同じものが繰り返されるため、五線譜などのシーケンシャルなデータ表現では無駄が多い。
更に、リズムボックスでは、前述の如く微妙なタイミングのずれを表現することができないため、リズム譜に従って自動演奏しても、機械的な演奏となってグルーブ感やスイング感を得ることは難しい。
【０００５】
以上から本発明の目的は、微妙なタイミングのずれを簡単に表現できて、リズムボックス等によるリズムの自動演奏に適用可能なリズム表示方法を提供することである。
【０００６】
【課題を解決するための手段】
上記した課題は、制御部とディスプレイと音源とを有し、リズム譜に従って発音するリズムボックスのリズム表示方法において、前記制御部は、基準点から一方向に延びる線を基準線とし、該基準線に対する角度により発音のタイミングを示すリズム譜を前記ディスプレイに表示することを特徴とするリズム表示方法により解決する。
この場合に、円の１周を１拍、１小節又は連続する複数の小節に対応させ、円周上の位置により発音のタイミングを示すリズム譜をディスプレイに表示することが好ましい。
【０００７】
また、基準線に対する角度により発音のタイミングを示すとともに、前記基準点からの距離により音量を示すようにしてもよい。
更に、基準点又は基準線の位置をずらし、リズム譜の発音マークの位置を極座標変換することにより、発音のタイミングをずらしたリズムを表示してもよい。
以下、本発明の作用について説明する。
本発明においては、１拍、１小節又は連続する複数の小節に対応させて、発音のタイミングを円周上の位置により表す。また、基準点から一方向に延びる線を基準線とし、該基準線に対する角度により発音のタイミングを表すようにしてもよい。このように、本発明においては、連続する円周上の位置又は角度により発音のタイミングを表記するので、微妙なタイミングのずれを正確に表現することができる。
【０００８】
また、前記基準点又は基準線の位置をずらす（移動又は回転等）ことにより、発音のタイミングをずらしたリズム譜が生成される。例えば、リズムボックスによる自動演奏の際に該リズム譜を用いることにより、グルーブ感又はスイング感を変化させることができる。
【０００９】
【発明の実施の形態】
以下、本発明の実施の形態について、添付の図面を参照して説明する。
（第１の実施の形態）
図１は本発明の第１の実施の形態のリズム表示方法を示す図である。なお、本実施の形態は、本発明をドラムセットのリズム譜に適用した例を示す。
【００１０】
本実施の形態では、円の中心点（基準点）Ｏから上に延びる直線を基準線とし、左回りの方向を時間軸として、基準線に対する角度により発音のタイミングを表現する。つまり、基準線の位置が小節の開始位置を示す。また、円周（３６０°）により１小節を示すものとする。図１では４分の４拍子の場合を示し、円を４等分する位置が各拍の開始位置を示す。
【００１１】
本実施の形態においては４つの同心円を描き、各円の円周上のマークの位置（換言すると、基準線に対する角度）により、ドラムセットの各パーツの発音のタイミングを示す。すなわち、１番内側の円の円周上の×印でハイハットの発音のタイミングを示し、２番目の円の円周上の●印でバスドラムの発音のタイミングを示し、３番目の円の円周上の□でスネアドラムの発音のタイミングを示し、１番外側の円の円周上の▲印でシンバルの発音のタイミングを示す。なお、上述の如く、ドラムセットの各パーツの発音のタイミングを同心円状に描くとともに、各パーツ毎に色分けすると、視認性がより一層向上する。
【００１２】
本実施の形態では、上述の如く、円形に表示したリズム譜（以下、円形リズム譜という）により、リズムを表示するので、ドラムセットの各パーツの発音のタイミングを１つのリズム譜で表示することができ、視覚的にわかりやすいという利点がある。
また、本実施の形態においては、各パーツの発音のタイミングが円周上の位置により表わされるので、例えば図２に示すように、発音のタイミングのずれを表現することができる。これにより、演奏者による発音のタイミングのずれを正確に表現することができて、グルーブ感及びスイング感を表現することができる。
【００１３】
以下、リズムボックスによる自動演奏に本実施の形態を適用した例について説明する。
図３はリズムボックスの構成を示すブロック図である。このリズムボックスは、マイクロコンピュータにより構成された制御部１０と、ディスプレイ１１と、マウス又はタッチペン等の位置入力装置を含む操作部１２と、音源１３、アンプ１４及びスピーカー１５とにより構成されている。そして、制御部１０はディスプレイ１１に例えば図１に示す円形リズム譜を表示し、この円形リズム譜に従って音源１３から所定の音を所定のタイミングで出力する。
【００１４】
また、制御部１０には予め複数のテンプレートが設けられている。テンプレートとは、リズム譜に対し所定の処理を行ってリズム譜を変形させるものである。図４はテンプレートの一例を示す図である。このテンプレートは、リズム譜の円の中心点ＯをＯ1 の位置まで、Ｘ方向にｘ、Ｙ方向にｙだけ移動する。そして、元の円形リズム譜（図１参照）のバスドラムの発音タイミングを基準として、各パーツの発音マークの位置を極座標変換する。
【００１５】
このテンプレートを使用すると、１拍目及び２拍目の発音のタイミングは若干遅れ、３拍目及び４拍目の発音のタイミングは若干早くなる。このように、制御部１０には予め円の中心位置や角度等を変化させるテンプレートが複数種類用意されており、ユーザが操作部１２により所望のテンプレートを指定してリズム譜を変形させることができる。また、マウス又はタッチペン等により、各パーツの発音タイミングをユーザが直接指定することもできる。
【００１６】
以下、上述のリズムボックスの動作について、図５に示すフローチャートを参照して説明する。
まず、ステップＳ１１において、ユーザは、操作部１２を操作して、所定のリズム譜をディスプレイ１１に表示させる。また、ユーザは、所望に応じてテンプレートを使用し、リズム譜を変形させる。更にユーザは、演奏のテンポを設定する。
【００１７】
次に、ステップＳ１２に移行し、制御部１０のマイクロコンピュータは設定されたテンポから１小節の時間を計算する。また、制御部１０のマイクロコンピュータは、基準点と各パーツの発音マークとを結ぶ線と基準線とのなす角度を計算する。そして、前記１小節の時間と前記角度から、各パーツの発音タイミングを計算する。
【００１８】
次いで、ステップＳ１３に移行し、制御部１０のマイクロコンピュータは、発音タイミングのデータと各パーツの音色のデータとを音源１３に出力する。音源１３は、制御部１０から入力したデータに基づいてオーディオ信号を発生する。このオーディオ信号は、アンプ１４により増幅されて、スピーカー１５から出力される。
【００１９】
本実施の形態のリズム表示方法をリズムボックスのリズム譜に適用した場合、円周上の位置により発音のタイミングを示すので、リズムを視覚的に認識できるとともに、微妙なタイミングのずれを正確に表現することができる。
また、上述したテンプレートを使用することにより、リズムを容易に変更することができる。これにより、グルーブ感やスイング感を得ることができる。例えば、プロの演奏家による演奏を解析し、その結果により発音のタイミングのずれを数値化してテンプレートを作成すると、よりスイング感のある人間的な演奏を再現することができる。従って、本実施の形態は、リズムボックスによる自動演奏に極めて好適である。
【００２０】
（第２の実施の形態）
図６は本発明の第２の実施の形態のリズム表示方法を示す図である。本実施の形態は、円の中心点Ｏから上側に延びる線を基準線とし、該基準線に対する角度により発音のタイミングを示すとともに、中心点Ｏからの距離により音量を示す。
【００２１】
すなわち、図６に示す例では、１〜３拍目の発音を若干小さい音量とし、４拍目の発音を若干大きい音量とすることを表わしている。
本実施の形態では、発音のタイミングだけでなく、音量を表現することができるので、リズムボックスの自動演奏に適用すると、よりグルーブ感のある演奏が再現できる。
【００２２】
なお、本実施の形態においても、音量を変化させるテンプレートを用意してリズム譜を変形させることが可能である。例えば図７に示すテンプレートは、１拍目及び３拍目の音量を低減するものである。また、音量を変化させるとともに、発音のタイミングをずらすテンプレートの作成も可能である。
また、上述した第１及び第２の実施の形態においては、いずれも円の一周を１小節に対応させる場合について説明したが、円の１周を２小節又はそれ以上の連続する小節に対応させてもよい。また、円の１周を１拍に対応させてもよい。更に、半円又は楕円等の弧又は周長を１拍、１小節又は連続する複数の小節に対応させてもよい。
【００２３】
【発明の効果】
以上説明したように、本発明によれば、円の円周上若しくは弧上の位置、又は基準線に対する角度により発音のタイミングを示すので、演奏における微妙なタイミングのずれを正確に表現することができるとともに、各発音のタイミングを視覚化することができる。また、本発明はリズムを繰り返し演奏するようなリズムボックスの自動演奏に適用することが可能である。この場合に、基準点又は基準線の位置をずらすことによって発音タイミングをずらしたリズム譜を生成することができる。
【図面の簡単な説明】
【図１】本発明の第１の実施の形態のリズム表示方法を示す図である。
【図２】第１の実施の形態において、発音のタイミングのずれを表現した例を示す図である。
【図３】リズムボックスの構成を示すブロック図である。
【図４】テンプレートの一例を示す図である。
【図５】リズムボックスの動作を示すフローチャートである。
【図６】本発明の第２の実施の形態のリズム表示方法を示す図である。
【図７】音量を変化させるテンプレートの例を示す図である。
【図８】従来のリズム譜を示す図である。
【符号の説明】
１０  制御部、
１２  ディスプレイ、
１３  音源、
１４  アンプ、
１５  スピーカー
【図１】
0003719696.tif 000002
【図２】
0003719696.tif 000003
【図３】
0003719696.tif 000004
【図４】
0003719696.tif 000005
【図５】
0003719696.tif 000006
【図６】
0003719696.tif 000007
【図７】
0003719696.tif 000008
【図８】
0003719696.tif 000009